【手続補正書】
【提出日】平成21年6月4日(2009.6.4)
【手続補正１】
【補正対象書類名】特許請求の範囲
【補正対象項目名】全文
【補正方法】変更
【補正の内容】
【特許請求の範囲】
【請求項１】
プリコーディングを利用するマルチインプットマルチアウトプット（ＭＩＭＯ）方式の移動通信システムにおけるユーザ装置であって：
基地局により使用されるべきプリコーディングマトリクスを示すプリコーディングマトリクスインジケータ（ＰＭＩ）を無線伝搬状況に応じて生成するＰＭＩ生成部；
前記ＰＭＩを入力し、所定の遅延時間の経過後に、当該ＰＭＩを出力する遅延回路；
前記遅延回路から前記ＰＭＩを入力し、入力したＰＭＩを格納する蓄積部；および
前記基地局からの信号に対し、前記蓄積部に格納されるＰＭＩを使用してチャネル推定を行うチャネル推定部；
を備えるユーザ装置。
【請求項２】
前記遅延回路に対し、前記基地局から高レイヤシグナリングを通して前記所定の遅延時間が提供される、請求項１に記載のユーザ装置。
【請求項３】
プリコーディングを利用するＭＩＭＯ方式の移動通信システムにおける基地局であって：
ユーザ装置から上り物理制御チャネルを使用してフィードバックされた第１のＰＭＩ情報を格納する第１の蓄積部；および
前記ユーザ装置から上り物理共有チャネルを使用してフィードバックされた第２のＰＭＩ情報を格納する第２の蓄積部；
を備える基地局。
【請求項４】
前記第１のＰＭＩ情報のフィードバックと前記第２のＰＭＩ情報のフィードバックとの先後を判定し、判定の結果に基づいて、前記第１の蓄積部に格納される前記第１のＰＭＩ情報と前記第２の蓄積部に格納される前記第２のＰＭＩ情報とのいずれかを選択する選択部；
を更に備える請求項３に記載の基地局。
【請求項５】
前記選択部が、前記第１のＰＭＩ情報のフィードバックからの経過時間をＴ１とし、前記第２のＰＭＩ情報のフィードバックからの経過時間をＴ２としたときに、
Ｌ＝ａＴ１−ｂＴ２
ただし、０＜ａ＜１、０＜ｂ＜１、
で表されるＬの値が、０以上の場合に前記第１のＰＭＩ情報を選択し、０より小さい場合に前記第２のＰＭＩ情報を選択する、請求項４に記載の基地局。
【請求項６】
前記選択部が、前記第１のＰＭＩ情報のフィードバックに使用された第１のチャネルの第１のチャネル品質情報と、前記第２のＰＭＩ情報のフィードバックに使用された第２のチャネルの第２のチャネル品質情報と比較して、比較の結果に基づいて、前記第１の蓄積部に格納される前記第１のＰＭＩ情報および前記第２の蓄積部に格納される前記第２のＰＭＩ情報のいずれかを選択する、請求項３に記載の基地局。
【請求項７】
プリコーディングを利用するＭＩＭＯ方式の移動通信システムにおける基地局であって：
ユーザ装置から基地局への非周期的なＰＭＩのフィードバックが、前記ユーザ装置から前記基地局への周期的なフィードバックの時点を含む所定の時間範囲に行われるように、前記非周期的なＰＭＩのフィードバックを前記ユーザ装置に対して要求する要求調整部を備える基地局。
【請求項８】
プリコーディングを利用するＭＩＭＯ方式の移動通信システムにおける通信方法であって：
基地局により使用されるべきプリコーディングマトリクスを示すＰＭＩを無線伝搬状況に応じて生成するステップ；
前記ＰＭＩを、所定の遅延時間の経過後に、格納するステップ；および
前記基地局からの信号に対し、格納されたＰＭＩを使用してチャネル推定を行うステップ；
を有する通信方法。
【請求項９】
前記基地局からの高レイヤシグナリングを通して前記所定の遅延時間を提供するステップを更に有する、請求項８に記載の通信方法。
【請求項１０】
プリコーディングを利用するＭＩＭＯ方式の移動通信システムにおける通信方法であって：
ユーザ装置から上り物理制御チャネルを使用してフィードバックされた第１のＰＭＩ情報を格納するステップ；および
前記ユーザ装置から上り物理共有チャネルを使用してフィードバックされた第２のＰＭＩ情報を格納するステップ；
を有する通信方法。
【請求項１１】
前記第１のＰＭＩ情報のフィードバックと前記第２のＰＭＩ情報のフィードバックとの先後を判定し、判定の結果に基づいて、前記第１の蓄積部に格納される前記第１のＰＭＩ情報と前記第２の蓄積部に格納される前記第２のＰＭＩ情報とのいずれかを選択するステップを更に有する、請求項１０に記載の通信方法。
【請求項１２】
前記第１のＰＭＩ情報のフィードバックからの経過時間をＴ１とし、前記第２のＰＭＩ情報のフィードバックからの経過時間をＴ２としたときに、
Ｌ＝ａＴ１−ｂＴ２
ただし、０＜ａ＜１、０＜ｂ＜１、
で表されるＬの値が、０以上の場合に前記第１のＰＭＩ情報を選択し、０より小さい場合に前記第２のＰＭＩ情報を選択するステップを更に有する、請求項１１に記載の通信方法。
【請求項１３】
前記第１のＰＭＩ情報のフィードバックに使用された第１のチャネルの第１のチャネル品質情報と、前記第２のＰＭＩ情報のフィードバックに使用された第２のチャネルの第２のチャネル品質情報と比較して、比較の結果に基づいて、前記第１の蓄積部に格納される前記第１のＰＭＩ情報および前記第２の蓄積部に格納される前記第２のＰＭＩ情報のいずれかを選択するステップを更に有する、請求項１０に記載の通信方法。
【請求項１４】
プリコーディングを利用するＭＩＭＯ方式の移動通信システムにおける通信方法であって：
ユーザ装置から基地局への非周期的なＰＭＩのフィードバックが、前記ユーザ装置から前記基地局への周期的なフィードバックの時点を含む所定の時間範囲に行われるように、前記非周期的なＰＭＩのフィードバックを前記ユーザ装置に対して要求するステップを有する通信方法。
【手続補正２】
【補正対象書類名】明細書
【補正対象項目名】００１３
【補正方法】変更
【補正の内容】
【００１３】
本発明の第５の態様は、第４の態様の基地局であって、選択部が、前記第１のＰＭＩ情報のフィードバックからの経過時間をＴ１とし、前記第２のＰＭＩ情報のフィードバックからの経過時間をＴ２としたときに、
Ｌ＝ａＴ１−ｂＴ２
ただし、０＜ａ＜１、０＜ｂ＜１、
で表されるＬの値が、０以上の場合に前記第１のＰＭＩ情報を選択し、０より小さい場合に前記第２のＰＭＩ情報を選択する基地局を提供する。
【手続補正３】
【補正対象書類名】明細書
【補正対象項目名】００２０
【補正方法】変更
【補正の内容】
【００２０】
本発明の第１２の態様は、第１１の態様の通信方法であって、第１のＰＭＩ情報のフィードバックからの経過時間をＴ１とし、前記第２のＰＭＩ情報のフィードバックからの経過時間をＴ２としたときに、
Ｌ＝ａＴ１−ｂＴ２
ただし、０＜ａ＜１、０＜ｂ＜１、
で表されるＬの値が、０以上の場合に前記第１のＰＭＩ情報を選択し、０より小さい場合に前記第２のＰＭＩ情報を選択するステップを更に有する通信方法を提供する。
【手続補正４】
【補正対象書類名】明細書
【補正対象項目名】００２９
【補正方法】変更
【補正の内容】
【００２９】
制御チャネル復号部１１０は、ＦＦＴ部１０６Ａ（１０６Ｂ）からフーリエ変換された受信信号を入力し、受信信号に含まれる制御チャネルを復号化して、基地局が信号送信の際に使用したＰＭＩ情報に関するデータを抽出する。このデータは、受信信号を復調する場合に必要となる。具体的には、このデータは、基地局において使用されたＰＭＩ情報が、ユーザ装置からフィードバックされたＰＭＩ情報か、別のＰＭＩ情報が使用された場合におけるそのＰＭＩ情報の明示のＰＭＩ番号か、のいずれであるかを示す。明示のＰＭＩ番号の場合、ユーザ装置１０は、フィードバックしたＰＭＩ情報でなく基地局から通知されたＰＭＩ情報を使用して、基地局からの受信信号のチャネル推定を行う。明示のＰＭＩ番号が通知されるのは、種々の原因によって基地局がユーザ装置１０からフィードバックされたＰＭＩ情報と異なるＰＭＩ情報を使用せざるを得なかった場合である。このようなむしろ変則的な場合を除き、フィードバックしたＰＭＩ情報に従った旨が通知される。制御チャネル復号部１１０は、抽出したＰＭＩ情報を復調用ＰＭＩ演算部１１８へ出力する。
【手続補正５】
【補正対象書類名】明細書
【補正対象項目名】００３４
【補正方法】変更
【補正の内容】
【００３４】
チャネル推定部１２０は、ＦＦＴ部１０６Ａ，１０６Ｂから入力したフーリエ変換後の受信信号に対して、復調用ＰＭＩ演算部から入力したＰＭＩ情報を使用してチャネル推定を行ない、その結果をデータチャネル信号検出部１２２へ出力する。
【手続補正６】
【補正対象書類名】明細書
【補正対象項目名】００４３
【補正方法】変更
【補正の内容】
【００４３】
続けて、時刻ｔ７において、ユーザ装置がＰＭＩ１と異なるＰＭＩ２をフィードバックする。ＰＭＩ１からＰＭＩ２への変更（更新）は、無線伝搬状況等の変化によって必要となったものであり、ＰＭＩ２は、その時点で、ユーザ装置が最適と判定したＰＭＩ情報である。また、ユーザ装置は、ＰＭＩ２の送信とほぼ同時に、自己のＰＭＩ蓄積部にＰＭＩ２を格納する。なお、ＰＭＩ情報のフィードバックは、ＰＵＣＣＨを使用して周期的に行われてもよいし、基地局からの要求に応答してＰＵＳＣＨを使用して行われてもよい。
【手続補正７】
【補正対象書類名】明細書
【補正対象項目名】００５２
【補正方法】変更
【補正の内容】
【００５２】
ＰＭＩ情報多重化部４１４１〜４１４Ｎは、対応するＮ個のバッファ４１１１〜４１２Ｎとそれぞれ接続され、対応する送信データを入力する。また、ＰＭＩ情報多重化部４１４１〜４１４Ｎは、後述するＰＭＩ・ＣＱＩ選択部４３６からＰＭＩ情報を入力し、これをバッファ４１１１〜４１２Ｎからそれぞれ入力した送信データの共有データチャネルに多重化して、各ユーザ装置に対応する送信信号を生成する。
【手続補正８】
【補正対象書類名】明細書
【補正対象項目名】００５３
【補正方法】変更
【補正の内容】
【００５３】
変調方式・符号化率選択部４１０は、ＰＭＩ・ＣＱＩ選択部４３６（後述）からＣＱＩを入力し、そのＣＱＩに基づいて、基地局４０からユーザ装置への送信に最適な変調方式および符号化率を選択する。その選択の結果に基づいて、変調方式・符号化率選択部４１０は、選択した変調方法を示す変調方法情報を生成し、変調方法情報をデータ変調部４２０に出力する。さらに、選択の結果に基づいて、変調方式・符号化率選択部４１０は、選択したチャネル符号化方式を示す方式情報を生成し、方式情報をチャネル符号化部４１８に出力する。
【手続補正９】
【補正対象書類名】明細書
【補正対象項目名】００７３
【補正方法】変更
【補正の内容】
【００７３】
次に、時刻ｔ３において基地局４０がユーザ装置に信号を送信するときは、ＰＭＩ・ＣＱＩ選択部４３６において選択されるＰＭＩ情報が使用される。この選択は、例えば、以下のように行われる。先ず、ＰＭＩ・ＣＱＩ選択部４３６において、ＰＭＩ１がフィードバックされた時刻からデータ送信時（下り送信時）までの経過時間をＴ１と、ＰＭＩ２がフィードバックされた時刻からデータ送信時までの経過時間をＴ２とが計算される。これらの計算は、蓄積部４３２および４３４から入力したフレーム番号に基づいて行ってよい。次に、
Ｌ＝ａＴ１−ｂＴ２（０＜ａ＜１、０＜ｂ＜１）      式（１）
で表されるＬ値が計算される。次いで、Ｌ値が０以上か否かが判定され、０以上であればＰＭＩ−Ａが選択され、０より小さければＰＭＩ−Ｂが選択される。ここで、ａおよびｂは忘却係数であり、例えば無線伝搬状況等に応じて適宜決定されてよい。このような選択によれば、ＰＵＳＣＨを通したＰＭＩ１のフィードバックが、ＰＵＣＣＨを通したＰＭＩ２のフィードバックよりも先行していた場合であっても、優先して使用され得る。ＰＵＳＣＨを使用する場合には、ユーザ装置は、ＰＭＩ−Ａとして周波数選択性ＰＭＩ（サブバンド毎のＰＭＩ）情報をフィードバックすることができ、基地局４０は、これらを利用することによって、より適切なスケジューリングを行うことができる。
【手続補正１０】
【補正対象書類名】明細書
【補正対象項目名】００８３
【補正方法】変更
【補正の内容】
【００８３】
ＰＭＩ・ＣＱＩ選択部７３６は、全帯域共通ＰＭＩ・ＣＱＩ蓄積部７３２から全帯域共通のＰＭＩ情報と、これに関する平均ＣＱＩと入力する。また、ＰＭＩ・ＣＱＩ選択部７３６は、周波数選択性ＰＭＩ・ＣＱＩ蓄積部７３４から周波数選択性のＰＭＩ情報と、これ関する平均ＣＱＩとを入力する。さらに、ＰＭＩ・ＣＱＩ選択部７３６は、入力した２つの平均ＣＱＩに基づいて、全帯域共通のＰＭＩ情報と周波数選択性のＰＭＩ情報のうちのいずれを使用すべきかを選択することができる。
【手続補正１１】
【補正対象書類名】明細書
【補正対象項目名】００９０
【補正方法】変更
【補正の内容】
【００９０】
制御チャネルフィードバック時間／周期蓄積部４３８は、ユーザ毎にフィードバック時間（周期）を蓄積している。このフィードバック時間は、基地局４０とユーザ装置との間で通信が開始される際に決定される。フィードバック要求判定部４４０は、ユーザ装置からのＰＭＩ情報の受信の成否や、受信した信号に含まれるＣＱＩに基づいて、例えば、そのユーザ装置に対して、ＰＵＳＣＨを使用した非周期的な周波数選択性ＰＭＩ情報のフィードバックを要求すべきか否かを判定する。下りリンク制御チャネル生成部４４２は、フィードバック要求判定部４４０が要求すべきと判定した場合に、UL  grantを用いてそのユーザ装置へフィードバックを要求する。したがって、基地局４０において、あるユーザについて制御チャネルが生成される場合、ＰＭＩの非周期的なフィードバックを要求すべきか否かがフィードバック要求判定部４４０により判定され、要求すべきと判定されたときは、そのユーザに対応した制御チャネルフィードバック時間／周期蓄積部４３８に蓄積されているフィードバック時間が参照されて、適切なタイミングでフィードバック要求が行われる。
【手続補正１２】
【補正対象書類名】明細書
【補正対象項目名】００９１
【補正方法】変更
【補正の内容】
【００９１】
ここで、所定の時間範囲は、例えば、ゼロを含んで良い。すなわち、図９に示すように、周期的なフィードバックと要求に応答したフィードバックとが同時刻に行われて良い。また、所定の時間範囲は、時間経過Ｔ１およびＴ２（図６）を使用した式（１）に基づく判定において、Ｌ値が０以上となる範囲であってもよい。これによれば、基地局が非周期的なＰＭＩ情報のフィードバックを要求した場合であって、その後に周期的なＰＭＩ情報のフィードバックが行われたときであっても、非周期的なフィードバックによるＰＭＩ情報が使用されることとなる。非周期的なフィードバックにおいては、通例、ＰＵＳＣＨを使用した周波数選択性ＰＭＩ情報がフィードバックされるため、これが優先されてより好適なスケジューリングが可能となる。
【手続補正１３】
【補正対象書類名】明細書
【補正対象項目名】００９３
【補正方法】変更
【補正の内容】
【００９３】
説明の便宜上、本発明が幾つかの実施形態に分けて説明されるが、各実施形態の区分けは本発明に本質的ではなく、２以上の実施形態が必要に応じて使用されてよい。